(57)【特許請求の範囲】
【請求項１】
内壁と外壁とこれら内壁及び外壁の間に形成される空洞とを備える支柱と、支柱に接続させるべき物品である接続対象物品に設けられ、前記支柱の外壁に当接される取付部材と、支柱の内壁に添接したナット部材と、取付部材を支柱の内壁と外壁とを介してナット部材に緊締するためのボルトとを具備することを特徴とする物品の取付構造。
【請求項２】
外壁に、空洞を外部に連通させるための開口部を有することを特徴とする請求項１記載の物品の取付構造。
【請求項３】
前記取付部材に、前記開口部に嵌合し支柱との間で位置決めを行うための嵌合凸部を設けていることを特徴とする請求項２記載の物品の取付構造。
【請求項４】
前記外壁の開口部にカバーを着脱可能に構成しているとともに、ナット部材と支柱の内壁との間を止着するための止着部の外方端部を前記空洞内に配していることを特徴とする請求項２又は３記載の物品の取付構造。
【請求項５】
前記ナット部材に対をなす雌ねじ孔を設け、取付部材を前記雌ねじ孔にそれぞれ螺合可能な対をなすボルトにより支柱に取り付けるようにしたものであって、これらのボルトの軸心を支柱の外面の法線に対して線対称となすように傾斜させていることを特徴とする請求項１、２、３又は４記載の物品の取付構造。
【請求項６】
前記ナット部材の上端部に、支柱の内壁の上端部に係合させることが可能な係止爪を有することを特徴とする請求項１、２、３、４又は５記載の物品の取付構造。
【発明の詳細な説明】
【技術分野】
【０００１】
本発明は、取付部材を介して接続対象物品を支柱に取り付ける物品の取付構造に関する。
【背景技術】
【０００２】
従来、接続対象物品に取付部材を設け、この取付部材を介して接続対象物品を支柱に取り付ける構成は種々考えられてきている。
【０００３】
このような構成の一例として、例えば、取付部材が、支柱に当接する当接面を有し、この当接面を支柱に当接させた状態で、支柱に形成した雌ねじ孔及びこの雌ねじ孔に螺合可能かつ支柱の表面の法線方向に沿って螺進退可能なボルトを利用して取付部材を支柱に接続する態様が考えられてきている（例えば、特許文献１を参照）。
【特許文献１】特開２００６−１０５１８０号公報
【発明の開示】
【発明が解決しようとする課題】
【０００４】
ところで、特許文献１記載の構成では、支柱の外壁に雌ねじ孔を形成していて、この雌ねじ孔にボルトを螺合させ、ボルトの頭部と前記雌ねじ孔を設けた支柱とにより取付部材に緊締力を作用させるようにしている。
【０００５】
しかし、支柱に物体等が衝突する際等の衝撃を受けた際には、支柱と接続対象物品との間に互いを離間させようとする作用が働く。また、支柱間に接続対象物品を横架させる場合、接続対象物品の自重もまた支柱と離間ようとする作用として働く。このような作用を受けると、支柱に設けた雌ねじ孔とボルトとの締着が緩み、構造体としての安定度が低下する不具合が発生することがある。
【０００６】
本発明は、このような課題を解決すべく、すなわちボルトとナットとを利用して支柱に接続対象物品を取り付けた状態でボルトとナットとの締着を緩みにくくし、接続対象物品を支柱により安定して取り付けるようにするべく構成するものである。
【課題を解決するための手段】
【０００７】
すなわち本発明に係る物品の取付構造は、内壁と外壁とこれら内壁及び外壁の間に形成される空洞とを備える支柱と、支柱に接続させるべき物品である接続対象物品に設けられ、前記支柱の外壁に当接される取付部材と、支柱の内壁に添接したナット部材と、取付部材を支柱の内壁と外壁とを介してナット部材に緊締するためのボルトとを具備することを特徴とする。
【０００８】
このようなものであれば、内壁と外壁との間に空洞を形成しているので、ボルトを介して取付部材を支柱に取り付けた際に、締着力により取付部材及びナット部材が相寄る方向に付勢され、内壁及び外壁の弾性反発力により、ボルトとナットとの締着が緩みにくくすることができる。なお、本発明において、「取付部材を接続対象物品に設ける」とは、接続対象物品と別体に構成した取付部材を接続対象物品に設ける態様、及び接続対象物品と取付部材とを一体に構成する態様の両方を含む概念である。
【０００９】
前記空洞を有効に利用できるようにするための構成として、外壁に、空洞を外部に連通させるための開口部を有するものが挙げられる。このようなものであれば、例えば開口部から空洞内に配線を挿入し、該空洞を配線挿通空間として利用できる。
【００１０】
取付部材の支柱への取り付けの際の手間を有効に軽減できる構成として、前記取付部材に、前記開口部に嵌合し支柱との間で位置決めを行うための嵌合凸部を設けているものが挙げられる。このようなものであれば、取付部材を支柱に仮止め可能だからである。
【００１１】
作業性の向上に有効な構成として、前記外壁の開口部にカバーを着脱可能に構成しているとともに、ナット部材と支柱の内壁との間を止着するための止着部の外方端部を前記空洞内に配しているものが挙げられる。このようなものであれば、止着部の全域を支柱の外壁の内側に配されるので、ナット部材を支柱に止着したままカバーを支柱に取り付けることができるからである。
【００１２】
接続対象物品が水平方向に延伸する部材である場合に特に有効な構成として、前記ナット部材に対をなす雌ねじ孔を設け、取付部材を前記雌ねじ孔にそれぞれ螺合可能な対をなすボルトにより支柱に取り付けるようにしたものであって、これらのボルトの軸心を支柱の外面の法線に対して線対称となすように傾斜させているものが挙げられる。このようなものであれば、緊締力が支柱の起立方向のどちら側にも偏らないようにすることで、接続対象物品が傾斜することを抑制できるからである。
【００１３】
ナット部材の支柱への取り付けの際の手間を有効に軽減できる構成として、前記ナット部材の上端部に、支柱の内壁の上端部に係合させることが可能な係止爪を有するものが挙げられる。このような構成であれば、ナット部材を支柱に仮止め可能であるからである。
【発明の効果】
【００１４】
本発明に係る物品の取付構造によれば、内壁と外壁との間に空洞が存在するので、ボルトを介して取付部材を支柱に取り付けた際に、締着力により取付部材及びナット部材が相寄る方向に付勢され、内壁及び外壁の弾性反発力により、ボルトとナットとの締着が緩みにくくすることができる。
【発明を実施するための最良の形態】
【００１５】
本発明の好ましい実施形態を図面を参照して以下に説明する。
【００１６】
本実施形態に係る空間構成設備Ｋは、図１〜７に示すように、内壁１４と外壁１５とを備える支柱１と、支柱１の上端部に接続させてなるとともにオプション部材を取り付け可能な横架材２と、取付部材３、ナット部材４、及び取付部材固定ボルト５を有し前記支柱１及び前記横架材２を接続する接続部Ｊとを具備し、支柱１と横架材２とがともに拘束しあって自立性を確保している。そして、この空間構成設備Ｋの支柱１及び横架材２により区成される空間を作業空間として区画するようにしている。ここで、前記接続部Ｊに本発明の物品の取付構造を使用している。また、横架材２が請求項中の接続対象物品である。なお、図１には全体斜視図、図２の（ａ）には平面図、同図の（ｂ）には正面図、同図の（ｃ）には側面図を示している。また、図３には接続部Ｊ近傍の斜視図、図４には同部位の別角度からの斜視図、図５には同部位の平面図、図６には図５における中央縦断面図、図７には図６におけるｘ−ｘ断面図をそれぞれ示している。また、この居住空間構成設備Ｋホワイトボードを横架材２から垂下させて取り付けることが可能である。また、２本の支柱１、１間には、オプション部材としてカウンター天板９１を横架させて取り付けることが可能である。このカウンター天板９１の下方には、該カウンター天板下方の空間を遮蔽するパネル要素９３を取付可能にしている。
【００１７】
以下、各部の具体的な構成について詳述する。
【００１８】
前記支柱１は、主に前記図５及び図６に示すように、平面視略円柱状をなし、支柱本体１１と、この支柱本体１１の外方に取り付け可能なカバー１２と、支柱本体１１の下方に設けられるアジャスタ１３とを具備する。前記支柱本体１１は、前記内壁１４と、この内壁１４の外方に離間して設けた前記外壁１５と、これら内壁１４及び外壁１５を接続するリブ１６とを具備するとともに、前記内壁１４、前記外壁１５、及び前記リブ１６により区成される空洞１ｓを有する。さらに、前記外壁１５には、前記空洞１ｓを外部に連通させるための開口部たるスリット１ｔを有する。このスリット１ｔは、所定間隔、本実施形態では４５度間隔で間欠的に設けている。また、このスリット１ｔから前記空洞１ｓ内に配線などを挿入し、前記空洞１ｓを配線挿通空間として使用可能にしている。一方、前記カバー１２は、前記支柱本体１１の外壁１５の外面と対向するカバー本体１２１と、このカバー本体１２１から内方に突出し前記スリット１ｔと係合可能な係止部１２２とを具備する。なお、本実施形態では、前記図１及び図２に示すように、この支柱１は６箇所に設けている。
【００１９】
また、前記横架材２は、本実施形態では押出し成形により形成していて、主に前記図５、図６、及び図７に示すように、平面視４分の１円弧状をなす。また、内側及び外側にそれぞれ内壁２１ａ、外壁２１ｂを有し、これら内壁２１ａ、外壁２１ｂの高さ方向中央部にスリット２１ｔを設けているとともに、このスリット２１ｔで外部に連通しオプション部材を取付可能なオプション取付溝を有する。このオプション取付溝２ｘは、前記内壁２１ａ、外壁２１ｂに対向する溝底壁２２ａ、２２ｂ、及びこの溝底壁の上端同士又は下端同士を接続するとともに内壁２１ａと外壁２１ｂとを接続する中間壁２３、２３により区成させてなる。さらに、このオプション取付溝２ｘの上下両側には、前記取付部材３を挿入可能な取付部材挿入空間２ｓを有する。上側の取付部材挿入空間２ｓは、内壁２１ａ、外壁２１ｂ、中間壁２３、及び上壁２４により区成させてなる。また、下側の取付部材挿入空間２ｓは、内壁２１ａ、外壁２１ｂ、中間壁２３、及び下壁２５により区成させてなる。なお、本実施形態では、前記図１及び図２に示すように、この横架材２は８本用意していて、平面視２個の円を重ね合わせた形状に配している。
【００２０】
一方、前記接続部Ｊは、横架材２の一端部に設けられ、主に前記図５、図６、及び図７に示すように、前記支柱１の外壁１５に当接される取付部材３と、支柱１の内壁１４に添接したナット部材４と、取付部材３を支柱１の内壁１４と外壁１５とを介してナット部材４に緊締するための取付部材固定ボルト５とを具備し、これら取付部材３、ナット部材４、及び取付部材固定ボルト５を利用して、支柱１と横架材２とを接続するものである。
【００２１】
具体的には、前記取付部材３は、前記支柱１の外壁１５に当接可能な当接部３１と、この当接部３１から前記横架材２を延伸させるべき方向に突出させて設けてなり前記横架材２の取付部材挿入空間２ｓに挿入可能な横架材支持部３２と、前記当接部３１から前記横架材支持部３２と反対側に突出させてなり前記支柱１のスリット１ｔに嵌合して周方向の位置決めを行うことが可能な嵌合凸部３３とを有する。ここで、前記横架材支持部３２は、同一形状を有するもの２個を、それぞれ上下反転させた態様で当接部３１から突出させて設けていて、上下の取付部材挿入空間２ｓにこの横架材支持部３２をそれぞれ１個ずつ挿入するようにしている。
【００２２】
前記横架材支持部３２には、前記取付部材固定ボルト５の頭部５２を収納するとともに取付部材固定ボルト５をナット部材に螺着させた状態でこの頭部５２を圧接させてなるねじ頭当接面３２ａを有するねじ頭収納部３２ｘと、支柱１に向かうとともにこの取付部材３の高さ方向中央に向かい傾斜する方向に前記取付部材固定ボルト５を螺進退可能にすべく該方向に延伸するボルト挿通孔３２ｙとを上下両側に設けている。ここで、本実施形態では、上述したように、前記横架材支持部３２は、同一形状を有するもの２個を、それぞれ上下反転させた態様で当接部３１から突出させて設け、上下の取付部材挿入空間２ｓにこの横架材支持部３２をそれぞれ１個ずつ挿入するようにしているので、上下のボルト挿通孔３２ｙは、前記取付部材固定ボルト５の軸心を支柱１の外面の法線に対して線対称となす方向にそれぞれ延伸している。
【００２３】
前記嵌合凸部３３は、本実施形態では前記当接部３１の上下両端部から前記支柱１に向けて突出していて、上述したように、前記支柱１のスリット１ｔに嵌合して取付部材３の支柱１の周方向の位置決めを行う。
【００２４】
そして、この取付部材３は、横架材２の上壁２４及びそれぞれ下壁２５にそれぞれ設けたねじ頭固定部に頭部を挿入させてなる雄ねじ７と、この取付部材３に形成した雌ねじ孔３ｚとを利用して形成した止着部を介して横架材２と接続するようにしている。
【００２５】
前記ナット部材４は、支柱１の内壁１４に添接させてなり前記取付部材固定ボルト５と螺合可能な第１雌ねじ孔４ｘを有するナット部材本体４１と、このナット部材本体４１の上端から延伸して設けてなり、支柱１の内壁１４の上端部に係合させることが可能な係止爪４２とを具備する。前記第１雌ねじ孔４ｘは、上下１対に設けている。
【００２６】
また、本実施形態では、このナット部材４のナット部材本体４１と、前記支柱の内壁１４との間に、前記ナット部材４に設けた第２雌ねじ孔４ｙと、この第２雌ねじ孔４ｙに螺合可能なナット部材固定ボルト６と、前記支柱１の内壁１４に前記ナット部材固定ボルト６を挿通させるべく設けたボルト挿通孔とを利用して形成した止着部Ｓを設けている。
【００２７】
この止着部Ｓは、内壁１４の外方から前記ナット部材固定ボルト６を前記第２雌ねじ孔４ｙに螺合させていくことによりナット部材４と内壁１４とを互いに固定する機能を発揮する。このナット部材固定ボルト６の頭部が前記内壁１４に当接した状態で、この頭部が、すなわち止着部Ｓの外方端部が、空洞１ｓ内に位置する。
【００２８】
一方、前記係止爪４２は、前記ナット部材本体４１の上端から外方に延伸する接続部４２２と、この接続部４２２の先端から垂下し前記内壁１４の外面と対向する係止部４２１とを有する。
【００２９】
前記取付部材固定ボルト５は、雄ねじ部５１と頭部５２とを有し、前述したように、取付部材３のボルト挿通孔３２ｙに雄ねじ部５１を挿通させて前記ナット部材４の第１雌ねじ孔４ｘに螺合させ、頭部５２を取付部材３のねじ頭当接面３２ａに当接させることにより取付部材３を支柱１に締着する。
【００３０】
ここで、横架材２を支柱１に接続する手順、及び各部の作用について以下に述べる。
【００３１】
まず、ナット部材４の係止爪４２を支柱１の内壁１４に係合させ、ナット部材４を支柱に仮止めする。次いで、前記ナット部材４の第２雌ねじ孔４ｙにナット部材固定ボルト６を螺合させることにより止着部Ｓを機能させ、ナット部材４を支柱の内壁１４に添接させた状態で互いに固定する。それから、前記支柱１のスリット１ｔに取付部材３の嵌合凸部３３を嵌合させ、取付部材３の周方向の位置決めを行う。その後、前記上下のボルト挿通孔３２ｙに取付部材固定ボルト５の雄ねじ部５１をそれぞれ挿通させ、ナット部材４の第１雌ねじ孔４ｘに螺合させ、取付部材固定ボルト５の頭部５２を締着力によりねじ頭当接面３２ａに圧接させて取付部材３を支柱１に締着する。そして、横架材２の取付部材挿入空間２ｓ内に取付部材３の横架材支持部３２を位置させて横架材２を支柱１に接近させ、雄ねじ７を前記取付部材３に形成した雌ねじ孔３ｚに螺合させて取付部材３と横架材２とを接続する。
【００３２】
ここで、前記取付部材固定ボルト５の雄ねじ部５１をナット部材４の第１雌ねじ孔４ｘに螺合させ、取付部材固定ボルト５の頭部５２を締着力によりねじ頭当接面３２ａに圧接させて取付部材３を支柱１に締着すると、締着力により支柱１の内壁１４と外壁１５とは互いに相寄る方向に付勢される。すると、内壁１４及び外壁１５は弾性変形し、ナット部材４と内壁１４とが互いに圧着するとともに、取付部材３と外壁１５とも互いに圧着し、取付部材固定ボルト５の締着が緩むのを抑制する。
【００３３】
以上に述べたように、本実施形態に係る横架材の取付構造では、支柱１の内壁１４と外壁１５との間に空洞１ｓを形成しているので、取付部材固定ボルト５及びナット部材４を介して取付部材３を支柱１に取り付けた際に、締着力により取付部材３及びナット部材４が相寄る方向に付勢され、内壁１４及び外壁１５の弾性反発力により、取付部材固定ボルト５とナット部材４との締着を緩みにくくすることができる。すなわち、横架材２を支柱１により安定して取り付けるようにすることができる。
【００３４】
また、外壁１５に、空洞１ｓを外部に連通させるためのスリット１ｔを有するので、例えばスリット１ｔから空洞内１ｓに配線を挿入し、該空洞１ｓを配線挿通空間として利用する等、前記空洞１ｓを有効に利用することができる。
【００３５】
さらに、前記取付部材３に、前記スリット１ｔに嵌合し支柱１との間で位置決めを行うための嵌合凸部３２を設けているので、取付部材３を支柱１に仮止めでき、従って取付部材３の支柱１への取り付けの際の手間を有効に軽減できる。
【００３６】
加えて、前記外壁１５のスリット１ｔにカバー１２を着脱可能に構成しているとともに、ナット部材４と支柱１の内壁１４との間を止着するための止着部Ｓの外方端部を前記空洞１ｓ内に配しているので、止着部の全域が支柱１の外壁１５の内側に配され、ナット部材４を支柱１に止着したままカバー１２を支柱本体１１に取り付けることができ、従って作業性の向上を図ることができる。
【００３７】
そして、前記ナット部材４に対をなす第１雌ねじ孔４ｘを設け、取付部材３を前記第１雌ねじ孔４ｘにそれぞれ螺合可能な対をなす取付部材固定ボルト５により支柱１に取り付けるようにし、これらのボルト５の軸心を支柱１の外面の法線に対して線対称となすように傾斜させているので、緊締力が支柱１の起立方向のどちら側にも偏らないようにし、横架材２が傾斜することを抑制できる。
【００３８】
加えて、前記ナット部材４の上端部に、支柱１の内壁１４の上端部に係合させることが可能な係止爪４２を有するので、ナット部材４を支柱１に仮止め可能であり、従ってナット部材４の支柱１への取り付けの際の手間を有効に軽減できる。
【００３９】
なお、本発明は以上に述べた実施の形態に限らない。
【００４０】
例えば、上述した実施形態に係る支柱１に代え、図８に示すような、内壁１０４と、この内壁１０４の外方に離間して設けた外壁１０５と、これら内壁１０４及び外壁１０５を接続するリブ１０６とを具備するとともに、前記内壁１０４、前記外壁１０５、及び前記リブ１０６により区成される空洞１０ｓを有する角柱状の支柱１０を用いてもよい。ここで、前記外壁１０５には、前記空洞１０ｓを外部に連通させるための開口部たるスリット１０ｔを設けるとよい。
【００４１】
また、図９に示すように、上述した実施形態における支柱１及び横架材２を４本ずつ利用して平面視円形をなす作業空間を形成するようにしてもよい。なお、前記図９に示す居住空間構成設備には、オプション部材として、カウンターデスク９１を２つの支柱間に横架させて取り付けることが可能である。また、他のオプション部材として、第１の小型天板９４、第２の小型天板９５を第２の引き戸９７、パネル要素９８等を任意の１つの支柱１に取り付けることが可能である。また、支柱１には、オプション部材として小型天板９９を取り付けることが可能である。
【００４２】
さらに、図１０、図１１、及び図１２に示すように、円弧状ではなく直線状に延伸する横架材２０を、上述した実施形態に係る接続対象部材たる横架材２に代えて用いてもよい。ここで、図１０の（ａ）にはこのような横架材２０を利用して形成した居住空間構成設備の背面図、同図の（ｂ）には前記居住空間構成設備の平面図、同図の（ｃ）には前記居住空間構成設備の正面図をそれぞれ示している。また、図１１には前記居住空間構成設備の左側面図、図１２には前記居住空間構成設備の右側面図をそれぞれ示している。ここで、図１０〜図１２に示す居住空間構成設備には、オプション部材として、第１の引き戸９６、第２の引き戸９７、パネル要素９８等を横架材２から垂下させるようにして取り付けることが可能である。また、支柱１には、オプション部材として小型天板９９を取り付けることが可能である。加えて、この実施態様では、支柱１及び横架材２０により区成される作業空間内に、ＡＶブースＢを配置している。
【００４３】
加えて、支柱の空洞を外部に連通させるための開口部は、スリットに限らず、間欠的に設けた開口窓であってもよく、さらに、前記開口部自体を省略し、ボルトを挿通させるためのボルト挿通孔のみを設けるようにしてもよい。
【００４４】
さらに、カバーは必ずしも設ける必要はなく、その場合、ナット部材と支柱の内壁との間を止着するための止着部の一部が支柱の外壁よりも外側にはみ出すようにしても構わない。
【００４５】
また、ナット部材の雌ねじ孔は必ずしも上下に対をなして設けるようにする必要はなく、一つだけ設けた雌ねじ孔にボルトを螺合させる構成であってもよい。
【００４６】
そして、ナット部材の上端部に係止爪を設ける代わりに、ナット部材の高さ方向中間部に係止爪を設け、支柱の内壁にこの係止爪と係合可能な係合孔を設けてもよい。さらに、ナット部材固定ボルト及びこのナット部材固定ボルトを螺合させてなる雌ねじ孔を省略し、支柱の内壁に設けた係合孔、及び前記ナット部材にこの係合孔に弾性係合可能に設けた係止爪により止着部を構成してもよい。
【００４７】
加えて、上述した実施形態では接続対象物品たる横架材と別体に構成した取付部材を横架材の端部に形成した取付部材挿入空間に挿入して取り付けるようにしているが、取付部材を接続対象物品の他の部位に取り付けるようにしてもよく、また、接続対象物品と取付部材とを一体に構成してもよい。
【００４８】
その他、本発明の趣旨を損ねない範囲で種々に変更してよい。
【図面の簡単な説明】
【００４９】
【図１】本発明の一実施形態に係る居住空間構成設備を示す全体斜視図。
【図２】同実施形態に係る居住空間構成設備を示す平面図、正面図、及び側面図。
【図３】同実施形態に係る支柱と横架材との接続部位を示す斜視図。
【図４】同実施形態に係る支柱と横架材との接続部位を示す図３とは別の角度からの斜視図。
【図５】同実施形態に係る支柱と横架材との接続部位を示す平面図。
【図６】図５における中央縦断面図。
【図７】図６におけるｘ−ｘ断面図。
【図８】本発明の他の実施態様に係る支柱を示す平面図。
【図９】本発明の他の実施態様に係る居住空間構成設備を示す図。
【図１０】本発明の他の実施態様に係る居住空間構成設備を示す図。
【図１１】本発明の他の実施態様に係る居住空間構成設備を示す図。
【図１２】本発明の他の実施態様に係る居住空間構成設備を示す図。
【符号の説明】
【００５０】
１…支柱
１４…内壁
１５…外壁
２…横架材（接続対象物品）
３…取付部材
４…ナット部材
５…取付部材固定ボルト（ボルト）
【図１】
0004986297.tif 000002
【図２】
0004986297.tif 000003
【図３】
0004986297.tif 000004
【図４】
0004986297.tif 000005
【図５】
0004986297.tif 000006
【図６】
0004986297.tif 000007
【図７】
0004986297.tif 000008
【図８】
0004986297.tif 000009
【図９】
0004986297.tif 000010
【図１０】
0004986297.tif 000011
【図１１】
0004986297.tif 000012
【図１２】
0004986297.tif 000013